(57)【要約】【課題】  建設現場等において各作業者への連絡放送を可能にすると共に適所への設置やレイアウト変更にも対応可能な分電盤及び分電盤放送システムを提供すること。【解決手段】  電力線Ｌに接続される分電盤１であって、音声を入力可能なマイク２と、該マイク２から入力された音声を音声信号として電力線Ｌを介して送信可能であると共に他の分電盤１から電力線Ｌを介して送信された音声信号を受信可能な電力線通信部３と、該電力線通信部３で受信した音声信号を再生出力可能な拡声器４と、を備えている。【選択図】      図１
2009284711.tif 000002
【特許請求の範囲】
【請求項１】
電力線に接続される分電盤であって、
音声を入力可能なマイクと、
該マイクから入力された音声を音声信号として電力線を介して送信可能であると共に他の分電盤から電力線を介して送信された音声信号を受信可能な電力線通信部と、
該電力線通信部で受信した音声信号を再生出力可能な拡声器と、を備えていることを特徴とする分電盤。
【請求項２】
請求項１に記載の分電盤において、
前記拡声器よりも前記音声信号を低出力で再生可能なスピーカと、
前記音声信号の再生を前記拡声器から前記スピーカに切り替えると共に受信した前記音声信号の送信元である他の分電盤との１対１の双方向通信に前記電力線通信部を制御して切り替える切替制御部と、を備えていることを特徴とする分電盤。
【請求項３】
電力線に接続された請求項１又は２に記載の分電盤を複数備えていることを特徴とする分電盤放送システム。
【発明の詳細な説明】
【技術分野】
【０００１】
本発明は、建設現場等に設置される分電盤及びこれを用いた分電盤放送システムに関する。
【背景技術】
【０００２】
例えば、建設現場等において、現場監督者等から各所定場所で作業している作業者への連絡のためにマイク及びスピーカ等の放送設備を設置して連絡事項を放送する場合がある。しかしながら、放送設備を設置するために、マイクやスピーカ等の配線作業を行うことは、日々変化する作業現場の環境において非常に難しいという不都合がある。このため、専用線を敷設する方法もあるが、この場合、作業者の教育が必要になる問題がある。
【０００３】
また、建設現場に放送設備を設置する場所を確保することが困難な場合が多く、レイアウトに制限があると共に、作業場所の移動等のレイアウトの変更に対応が難しいという不都合があった。そのため、従来、放送設備の設置及び利用を行わず、大型の拡声器で対応する等の方法が採用されている。
【０００４】
一方、電力線通信を用いて拡声器によって警報等の放送を行う技術が、提案されている。例えば、特許文献１には、災害地域に設置されたセンサからの情報を電力線通信により送信し、スピーカ側で受信内容に応じた出力を行って警報を発する技術である。
【０００５】
【特許文献１】特開２０００−１８２１７４号公報
【発明の開示】
【発明が解決しようとする課題】
【０００６】
上記従来の技術には、以下の課題が残されている。
すなわち、上記従来の放送設備技術では、上述したように設置場所及びレイアウトに制限があり、実際上困難であった。また、大型の拡声器で対応する場合、建築物等が完成に近づくと遮蔽物が増えて音声が伝達され難くなる問題があった。さらに、特許文献１に記載の技術のように、電力線通信で警報を発する拡声器を設置しても、放送設備の設置と同様に設置場所及びレイアウトに制限があると共に、完成に近い建築物内では遮蔽物が多く設置場所によっては各作業者への連絡が難しいという不都合がある。
【０００７】
本発明は、前述の課題に鑑みてなされたもので、建設現場等において各作業者への連絡放送を可能にすると共に適所への設置やレイアウト変更にも対応可能な分電盤及びこれを採用した分電盤放送システムを提供することを目的とする。
【課題を解決するための手段】
【０００８】
本発明は、前記課題を解決するために以下の構成を採用した。すなわち、本発明の分電盤は、電力線に接続される分電盤であって、音声を入力可能なマイクと、該マイクから入力された音声を音声信号として電力線を介して送信可能であると共に他の分電盤から電力線を介して送信された音声信号を受信可能な電力線通信部と、該電力線通信部で受信した音声信号を再生出力可能な拡声器と、を備えていることを特徴とする。
【０００９】
この分電盤では、マイク、電力線通信部及び拡声器を備えているので、マイクから入力された音声を電力線通信部が音声信号として電力線を介して他の分電盤へ送信し、また電力線通信部が受信した音声信号を拡声器で再生出力して近くの作業者に連絡事項を放送することができる。従来から分電盤は、作業の必要に応じて配置されると共に移動されるものであり、作業に適した場所であって作業者の近くに常に配置、存在するものである。したがって、本発明では、従来の放送設備のように別途設置しなくても現場で適所に設置される分電盤にマイク、電力線通信部及び拡声器が内蔵されているので、建設現場等に設置場所が予め確保されていると共に接続が必須の電力線を介して通信するため別途配線する必要がない。このため、建設現場等での省スペース化や配線レスを図ることができる。また、分電盤は作業に伴いレイアウトが変更されるため、本発明の分電盤の配置も作業者の近くに最適化され、放送用にレイアウトを変更する必要もなく、メンテナンスフリーとなる利点もある。
【００１０】
また、本発明の分電盤は、前記拡声器よりも前記音声信号を低出力で再生可能なスピーカと、前記音声信号の再生を前記拡声器から前記スピーカに切り替えると共に受信した前記音声信号の送信元である他の分電盤と１対１の双方向通信に前記電力線通信部を制御して切り替える切替制御部と、を備えていることを特徴とする。すなわち、この分電盤では、切替制御部によって、音声信号の再生を拡声器からスピーカに切り替えると共に受信した音声信号の送信元である他の分電盤と１対１の双方向通信に電力線通信部を制御して切り替えるので、呼び出しの放送を拡声器で再生出力した後等に、呼び出された作業者が呼び出した現場監督者等と１対１で双方向通信して個別に通話することが可能になる。
【００１１】
本発明の分電盤放送システムは、電力線に接続された上記本発明の分電盤を複数備えていることを特徴とする。すなわち、この分電盤放送システムでは、電力線に接続された上記本発明の分電盤を複数備えているので、いずれか一つの分電盤のマイクで連絡事項等を音声で入力すると、その音声信号が電力線を介して他の全ての分電盤に送信され、この音声信号を各分電盤が受信すると共に拡声器によって一斉放送を行うことができる。したがって、建設現場等に適所に配置された各分電盤から放送されるため、広範囲にかつ適所で全作業者に情報伝達を確実に行うことが可能になる。
【発明の効果】
【００１２】
本発明によれば、以下の効果を奏する。
すなわち、本発明に係る分電盤によれば、マイク、電力線通信部及び拡声器を備えているので、建設現場等において作業に適した場所に設置された分電盤から各作業者への連絡放送を可能にすると共に適所への設置やレイアウト変更にも対応することができる。したがって、本発明の分電盤を電力線に複数接続した分電盤放送システムでは、建設現場等に適所に配置された各分電盤により、広範囲にかつ適所で全作業者に情報伝達を確実に行うことが可能になる。
【発明を実施するための最良の形態】
【００１３】
以下、本発明に係る分電盤及び分電盤放送システムの一実施形態を、図１から図３を参照しながら説明する。
【００１４】
本実施形態の分電盤放送システムは、図１に示すように、電力線Ｌに接続された複数の分電盤１で構成されている。この分電盤１は、電力線に接続された複数のブレーカー（図示略）及びコンセント（図示略）を備えたものであり、音声を入力可能なマイク２と、電力線Ｌに接続されマイク２から入力された音声を音声信号として電力線Ｌを介して送信可能であると共に他の分電盤１から電力線Ｌを介して送信された音声信号を受信可能な電力線通信部３と、該電力線通信部３で受信した音声信号を再生出力可能な拡声器４と、該拡声器４よりも音声信号を低出力で再生可能なスピーカ５と、音声信号の再生を拡声器４からスピーカ５に切り替えると共に受信した音声信号の送信元である他の分電盤１との１対１の双方向通信に電力線通信部３を制御して切り替える切替制御部６と、を備えている。
【００１５】
上記切替制御部６は、電力線通信部３に接続され受信したデジタル信号である音声信号をアナログ信号の音声信号に変換する機能及び入力された音声をデジタル信号の音声信号に変換して電力線通信部３へ送る機能も有している。また、切替制御部６には、拡声器４、マイク２又はスピーカ５のいずれか一つを選択して切り替える操作をするボタン部７が接続されている。切替制御部６は、ボタン部７のボタン操作に応じて選択された拡声器４、マイク２又はスピーカ５の切替情報を信号として電力線通信部３を介して送受信する機能を有している。なお、分電盤１は、通常時においては、切替制御部６により拡声器４が選択されて連絡事項等の放送が可能になっている。
【００１６】
上記電力線通信部３には、音声信号を増幅して拡声器４へ送る拡声器用アンプ８と、音声信号を増幅してスピーカ５へ送るスピーカ用アンプ９と、が接続されている。すなわち、拡声器４及びスピーカ５は、それぞれ拡声器用アンプ８及びスピーカ用アンプ９を介して制御部６に接続されている。
【００１７】
上記マイク２、スピーカ５、拡声器４、拡声器用アンプ８及びスピーカ用アンプ９は、いずれも分電盤１の筐体（図示略）内に収納可能なサイズとされ、省スペース化が図られている。
なお、これらの分電盤１は、建設現場において作業に従って適所に複数配置され、また作業の進行に応じて作業に適した場所に移動され、配置される。
【００１８】
次に、本実施形態の分電盤及び分電盤放送システムにおいて、連絡事項等の放送方法について、図２及び図３を参照して説明する。
【００１９】
まず、例えば連絡事項として作業者１１の呼び出しを一斉放送で行う場合、図２に示すように、現場監督者等の発声者１０は、一つの分電盤１のボタン部７を操作して拡声器４を選択し、マイク２に対して作業者１１の呼び出しを音声で入力する。このとき、切替制御部６は、ボタン部７により拡声器４を選択した操作情報の信号とマイク２から入力された音声を音声信号として電力線通信部３に入力し、電力線通信部３は、これら信号をデジタル信号として電力線Ｌを介して各分電盤１へ送信する。
【００２０】
この際、発声者１０側（呼び出し側）の分電盤１以外の各分電盤１は、操作情報の信号及び音声信号を電力線通信部３で受信すると共に操作情報の信号に基づいて切替制御部６が出力先として拡声器４を選択し、接続を切り替える。なお、通常時は、予め拡声器４が選択されており、この場合はそのままの接続が維持される。また、受信した音声信号はアナログ信号に変換されて、拡声器用アンプ８で増幅後、拡声器４により音声が出力再生される。
【００２１】
次に、各分電盤１からの放送により呼び出された作業者１１は、図２及び図３に示すように、近くの分電盤１によって呼び出した発声者１０と個別の双方向通信を行う。すなわち、作業者１１は、呼び出しに対して応答するために、作業場近くの分電盤１のボタン部７を操作してマイク２を選択し、マイク２に対して応答の音声を入力する。このとき、切替制御部６は、拡声器４の接続を開放し、ボタン部７によりマイク２を選択した操作情報の信号とマイク２から入力された応答の音声を音声信号として電力線通信部３に入力する。さらに、電力線通信部３は、これら信号をデジタル信号として電力線Ｌを介して呼び出し側の分電盤１及び他の分電盤１へ送信する。
【００２２】
次に、発声者１０側及び作業者１１側の分電盤１以外の各分電盤１は、電力線通信部３で作業者１１側の分電盤１から送信された操作情報の信号及び音声信号を受信すると共に操作情報の信号に基づいて切替制御部６が拡声器４の接続を開放する。
また、発声者１０側（呼び出し側）の分電盤１は、電力線通信部３で作業者１１側の分電盤１から送信された操作情報の信号及び音声信号を受信すると共に操作情報の信号に基づいて切替制御部６が出力先としてスピーカ５を選択し、切り替える。また、受信した音声信号はアナログ信号に変換されて、スピーカ用アンプ９で増幅後、スピーカ５により拡声器４よりも低出力で音声が出力再生される。
【００２３】
また、切替制御部６は、音声の送信先として呼び出した作業者１１側の分電盤１を指定し、マイク２からの入力される発声者１０の音声をデジタル信号の音声信号として電力線通信部３を介して送信する。すなわち、作業者１１側の分電盤１及び発声者１０側の分電盤１以外の分電盤１では、この際の音声信号の再生出力は行われない。したがって、発声者１０側の分電盤１と呼び出された作業者１１側の分電盤１との間の１対１の双方向通信で通話が可能になる。
【００２４】
このように本実施形態の分電盤１では、マイク２、電力線通信部３及び拡声器４を備えているので、マイク２から入力された音声を電力線通信部３が音声信号として電力線Ｌを介して他の分電盤１へ送信し、また電力線通信部３が受信した音声信号を拡声器４で再生出力して近くの作業者１１に連絡事項を放送することができる。
【００２５】
すなわち、本実施形態では、放送設備のように別途設置しなくても現場で適所に設置される分電盤１にマイク２、電力線通信部３及び拡声器４が内蔵されているので、建設現場等に設置場所が予め確保されていると共に接続が必須の電力線Ｌを介して通信するため別途配線する必要がない。このため、建設現場等での省スペース化や配線レスを図ることができる。また、分電盤１は作業に伴いレイアウトが変更されるため、本実施形態の分電盤１の配置も作業者１１の近くに最適化され、放送用にレイアウトを変更する必要もなく、メンテナンスフリーとなる利点もある。
【００２６】
したがって、本実施形態の分電盤放送システムでは、電力線Ｌに接続された複数の分電盤１を備えているので、いずれか一つの分電盤１のマイク２で連絡事項等を音声で入力すると、その音声信号が電力線Ｌを介して他の全ての分電盤１に送信され、この音声信号を各分電盤１が受信すると共に拡声器４によって一斉放送を行うことができる。したがって、建設現場等に適所に配置された各分電盤１から放送されるため、広範囲にかつ適所で全作業者に情報伝達を確実に行うことが可能になる。例えば、完成間近の入り組んだ建築物内でも一斉呼び出しが可能になる。
【００２７】
また、作業者１１が呼び出しに答える際には、ボタン部７でスピーカ５を選択することで、切替制御部６によって、音声信号の再生を拡声器４から低出力のスピーカ５に切り替えると共に受信した音声信号の送信元である他の分電盤１と１対１の双方向通信に電力線通信部３を制御して切り替えるので、呼び出された作業者１１が呼び出した現場監督者等の発声者１０と１対１で双方向通信して個別に通話することが可能になる。
【００２８】
なお、本発明の技術範囲は上記実施形態に限定されるものではなく、本発明の趣旨を逸脱しない範囲において種々の変更を加えることが可能である。
【００２９】
例えば、上記実施形態では、ボタン部７でスピーカ５及びマイク２による双方向通信を選択して１対１で通話可能になっているが、電話の受話器を採用し、ボタン部７を受話器のオンフックとして機能させても構わない。この場合、受話器を作業者が取るだけでボタン部７でスピーカ５が選択されて発声者との個別通話が可能になる。
【図面の簡単な説明】
【００３０】
【図１】本発明に係る分電盤及び分電盤放送システムの一実施形態において、システムの全体を示す構成図である。
【図２】本実施形態において、発声者から各作業者への一斉放送を行う際の状態を示す説明図である。
【図３】本実施形態において、発声者と呼び出された作業者との双方向通信を行う際の状態を示す説明図である。
【符号の説明】
【００３１】
１…分電盤、２…マイク、３…電力線通信部、４…拡声器、５…スピーカ、６…切替制御部、Ｌ…電力線
【図１】
2009284711.tif 000003
【図２】
2009284711.tif 000004
【図３】
2009284711.tif 000005